(57)【特許請求の範囲】
【請求項１】
１または複数の電力使用機器に供給する電力を制御する電力線搬送通信システムであって、
前記電力使用機器のそれぞれに対応させて配設した応答端末と、
前記電力使用機器に供給する電力を制御するために、前記応答端末とデータ通信を行うコントローラと、
前記応答端末と前記コントローラとがデータ通信を行う電力線通信制御領域に電力を供給する電力搬送ライン、及び前記電力線通信制御領域から前記電力使用機器に電力を供給する電力搬送ラインにそれぞれ配設されたラインフィルターと、
前記電力使用機器に供給する電力を制御する通信を行うために前記電力線通信制御領域の外部に設けられた制御装置とを有し、
前記電力使用機器に供給する電力を断続するスイッチと、前記電力搬送ラインを介して前記コントローラとデータ通信を行う応答機とを前記応答端末に配設し、
前記制御装置からの命令に従って前記コントローラと前記応答機との間で、前記電力搬送ラインを介してデータ通信を行い、
前記応答機は、前記コントローラから送信されるコマンド信号に従って前記スイッチの断続状態を制御し、
前記コントローラは、前記電力搬送ラインを介して所定周波数の変調をかけたキャリア信号を送信し、前記応答機は前記キャリア信号を受信して内部電源を生成することを特徴とする電力線搬送通信システム。
【請求項２】
前記コントローラを、非接触でデータの送受信を行うデータキャリアシステムで使用されるリーダ／ライタ装置で構成し、前記応答機を前記データキャリアシステムで使用されるＲＦＩＤを用いて構成したことを特徴とする請求項１に記載の電力線搬送通信システム。
【発明の詳細な説明】
【技術分野】
【０００１】
本発明は電力線搬送通信システムに関し、特に、電力線（いわゆる電灯線）を通信線として使用し、複数の電力使用機器に供給する電力を制御するために用いて好適な技術に関する。
【背景技術】
【０００２】
近年、商用電源線、いわゆる電力線に通信信号を重畳し、通信を行う電力線通信装置（ＰＬＣ装置）が実用化されている。電力線通信は、配設済みの電力線を通信線として利用でき、専用の通信線を新たに設置しなくて良いという利点がある。最大通信速度は、近年の技術革新と、使用可能な周波数帯域の規制緩和による拡大で、高速化している。
【０００３】
しかしながら、電力線を通信線として見た場合、ノイズが多く、高品質とは言い難い。原理上は高速であっても、実際の通信においては、十分な速度が出ない場合がある。ノイズの発生源としては、様々なものが考えられるが、そのうち多くは、電力線自体に重畳しているノイズ、電力使用機器に電力を供給する際、或いは供給している電力を遮断する際に発生する。
【０００４】
また、電力線に接続される家庭用の電子機器の多くは、電力線の交流電圧を直流の低電圧に変換する電源回路を内蔵する。この種の電源回路には、一般に、変換効率が高いスイッチング電源が使用されている。しかし、電力線通信から見ると、スイッチング電源はノイズ発生源でもある。即ち、スイッチング電源は、スイッチング周波数とその高調波のノイズを発生し、このノイズが電力線に漏れ出し、電力線通信の通信速度を低下させる。
【０００５】
電力線通信に用いられる通信方式は統一されておらず、複数の規格が存在する。具体的には、多くの搬送波を使用する（マルチキャリア）周波数分割多重（ＦＤＭ）方式と、デジタル信号の周波数スペクトラム分布の性質を用いて更に密度の高い多重化を実現する直交周波数分割多重（ＯＦＤＭ）方式が、現在、主流になっている。
【０００６】
電力線通信では、いずれの方式でも、基本的に、数多くの周波数の異なる搬送波を使ってデータを伝送する。受信復調時には、これらの搬送波の内、ノイズによる妨害やレベルの減衰などから生き残った、復調可能な搬送信号を復調し、データエラーを訂正する。実効的な通信速度を上げるには、ノイズによる妨害とレベルの減衰を少なくしなければならない。
【０００７】
一方で、電力線に接続されている電力使用機器に内蔵されるスイッチング電源のスイッチング周波数は、電力使用機器毎にまちまちである。多くの電力使用機器が電力線に接続されるほど、その様々な基本周波数とその高調波のノイズが電力線に重畳されることになる。その結果、多くの搬送波が妨害により使用不能となってしまい、通信速度の確保が難しくなる。
【０００８】
電力線通信で通信速度を確保する技術として、特許文献１には、電力線通信の障害となるノイズの帯域を検出し、その帯域の搬送波を利用しないようにする技術が記載されている。また、特許文献２には、電力使用機器のスイッチング電源のスイッチング周波数を、電力線通信で使用される信号搬送波の最大周波数以上に設定することが記載されている。
【先行技術文献】
【特許文献】
【０００９】
【特許文献１】特開２００３−００８５２１号公報
【特許文献２】特開２００６−３０４０８６号公報
【発明の概要】
【発明が解決しようとする課題】
【００１０】
前述のように、電力線に重畳されるノイズの種類や、ノイズ周波数の帯域は様々であるので、特許文献１に記載の技術、或いは特許文献２に記載の技術を用いても、電力線に重畳されるノイズに影響されない高精度な通信を実現することは困難であるので、電力線に接続された複数の電力使用機器の電力供給制御を高精度に行うことは困難であった。
本発明は前述の問題点に鑑み、電力線に接続された複数の電力使用機器に対する電力供給制御を高精度に行うことができるようにすることを目的とする。
【課題を解決するための手段】
【００１１】
本発明の電力線搬送通信システムは、１または複数の電力使用機器に供給する電力を制御する電力線搬送通信システムであって、前記電力使用機器のそれぞれに対応させて配設した応答端末と、前記電力使用機器に供給する電力を制御するために、前記応答端末とデータ通信を行うコントローラと、前記応答端末と前記コントローラとがデータ通信を行う電力線通信制御領域に電力を供給する電力搬送ライン、及び前記電力線通信制御領域から前記電力使用機器に電力を供給する電力搬送ラインにそれぞれ配設されたラインフィルターと、前記電力使用機器に供給する電力を制御する通信を行うために前記電力線通信制御領域の外部に設けられた制御装置とを有し、前記電力使用機器に供給する電力を断続するスイッチと、前記電力搬送ラインを介して前記コントローラとデータ通信を行う応答機とを前記応答端末に配設し、前記制御装置からの命令に従って前記コントローラと前記応答機との間で、前記電力搬送ラインを介してデータ通信を行い、前記応答機は、前記コントローラから送信されるコマンド信号に従って前記スイッチの断続状態を制御し、前記コントローラは、前記電力搬送ラインを介して所定周波数の変調をかけたキャリア信号を送信し、前記応答機は前記キャリア信号を受信して内部電源を生成することを特徴とする。
【発明の効果】
【００１２】
本発明によれば、ラインフィルターによってノイズが除去された電力線通信制御領域内で、コントローラと応答端末との間で、電力搬送ラインを介してデータ通信を行うようにしたので、データ通信で使用するキャリア信号が外部へ漏れる影響を抑制することができる。また、電力使用機器で発生するスイッチングノイズなどが外部から侵入するのを防止することができ、電力使用機器に対する電力制御を確実に実行することができる。
また、本発明の他の特徴によれば、非接触でデータの送受信を行うデータキャリアシステムで使用されるリーダ／ライタ装置と、ＲＦＩＤとを用いて前記コントローラと前記応答機とを構成したので、安価にシステムを構成することができる。
【図面の簡単な説明】
【００１３】
【図１】本実施形態の電力線搬送通信システムの概略構成を説明する図である。
【図２】第１の応答端末の概略構成を示すブロック図である。
【図３】ＩＣチップの概略構成を示すブロック図である。
【図４】第１の応答端末が受信時の伝送フォーマット例を説明する図である。
【図５】応答データの変調方式について説明する図である。
【図６】コイルＬとコンデンサＣと並列に組み合わせて構成した同調回路の一例を示す図である。
【図７】コントローラの概略構成を説明するブロック図である。
【図８】電力線搬送通信システムの具体例を説明する図である。
【図９】電力線搬送通信システムの制御手順の一例を説明するフローチャートである。
【発明を実施するための形態】
【００１４】
（第１の実施形態）
以下、図面を参照しながら本発明の電力線搬送通信システムの実施形態を説明する。
図１は、本実施形態の電力線搬送通信システム１０の概略構成を説明する図である。図１に示すように、本実施形態の電力線搬送通信システム１０は、電力搬送ライン３００を介して、電力供給源ＡＣから第１の電力使用機器１０１及び第２の電力使用機器１０２に供給する電力のオン／オフ制御を行う。図１においては、第３の電力使用機器１０３が電力搬送ライン３００に接続されているが、本実施形態の電力線搬送通信システム１０は第３の電力使用機器１０３については電力のオン／オフ制御を行わない。
【００１５】
本実施形態の電力線搬送通信システム１０においては、電力線通信制御領域１００を構成し、この電力線通信制御領域１００に出入りする電力搬送ライン３００にラインフィルターを配設することにより、電力線通信制御領域１００内の電力搬送ライン３００ａ、３００ｂにはノイズが重畳されないようにしている。
【００１６】
図１の例では、電力供給源ＡＣから電力線通信制御領域１００に電力を供給する電力搬送ライン３００に重畳しているノイズを除去する入力ラインフィルター２００、電力線通信制御領域１００から第１の電力使用機器１０１に電力を供給する電力供給線３０１に配設された第１のラインフィルター２０１、電力線通信制御領域１００から第２の電力使用機器１０２に電力を供給する電力供給線３０２に配設された第２のラインフィルター２０２、電力線通信制御領域１００から第３の電力使用機器１０３に電力を供給する電力線に配設された第３のラインフィルター２０３を示している。
【００１７】
入力ラインフィルター２００〜第３のラインフィルター２０３は、電力搬送ライン３００を介して入力されるノイズをカットし、コントローラ４００と応答端末１１０、１２０との間で行われるデータ通信において誤作動が発生しないようにする。また、コントローラ４００と応答端末１１０、１２０との間で行われるデータ通信の周波数信号をカットして、データ通信を行うことによる外部装置への影響を少なくする。ラインフィルターの構成例としては、コントローラ４００から出力する制御信号近辺の周波数をカット可能である公知のフィルターを使用することができる。
【００１８】
前述のように構成された電力線通信制御領域１００の内部には、第１の応答端末１１０、第２の応答端末１２０、コントローラ４００が配設されている。
第１の応答端末１１０は、第１の電力使用機器１０１に供給する電力を制御するための装置であり、応答機１１１及び第１のスイッチ１１２を有している。第２の応答端末１２０は、第２の電力使用機器１０２に供給する電力を制御するための装置であり、応答機１２１及び第２のスイッチ１２２を有している。コントローラ４００は、通信回線１１を介して外部のコンピュータ（ＰＣ）１２と情報の送受信を行い、第１の応答端末１１０及び第２の応答端末１２０の動作を個別に制御する。
【００１９】
図２に、第１の応答端末１１０の概略構成を示す。なお、第２の応答端末１２０も同様の構成である。
図２に示すように、応答機１１１は低周波遮断回路５０、同調回路６０、ＩＣチップ７０などにより構成されている。
低周波遮断回路５０は、電力線通信制御領域１００内の電力搬送ライン３００ａ、３００ｂに重畳している直流及び低周波（商用電源の周波数５０Hz、６０Hzを含む）のノイズを遮断し、高周波の信号電流のみを通過させるために設けられているものであり、単純な構成としては、直流を遮断して周波数の高い交流ほど流しやすいコンデンサの基本機能を利用して構成することができる。
【００２０】
同調回路６０は、電力搬送ライン３００ａ、３００ｂを介して送信されるコントローラ４００からのキャリア周波数を効率よくＩＣチップ７０に供給するための回路であり、図６に示すように、コイルＬとコンデンサＣとを並列に組み合わせて構成されている。本実施形態において、コントローラ４００からは125/117kHzのキャリア周波数が送信されるため、同調回路６０は121kHzで同調がとれるように構成している。
【００２１】
ＩＣチップ７０は、図３に示すように、ＣＰＵ７１、マスクＲＯＭ７２、ＥＥＥＰＲＯＭ７３、高周波回路（ＲＦ）７４、ＩＯ端子７５、第１の端子S1、第２の端子S2、などにより構成されている。
ＣＰＵ７１は、ＩＣチップ７０の各部の動作を制御する機能するものであり、マスクＲＯＭ７２に格納されているプログラムコードを読み出して実行することによって、各部の動作を制御するための制御部として動作する。
【００２２】
ＥＥＥＰＲＯＭ７３は、ＩＣチップ７０に固有の情報を格納するために用いられ、本実施形態においては、固有のＵＩＤ等が格納されている。高周波回路７４は、コントローラ４００から送信されるキャリア周波数125/117kHzの正弦波を整流することで、ＩＣチップ７０の内部の各部に供給する電源電圧を生成する。ＩＯ端子７５は、ＣＰＵ７１から出力される制御信号を第１のスイッチ１１２に出力するためのものであり、ＣＰＵ７１から出力される制御信号に従って第１のスイッチ１１２をオン状態、またはオフ状態に制御する。
【００２３】
ＩＯ端子７５と第１のスイッチ１１２とを接続する信号線は、バイパスコンデンサＣ１を介して第１の応答端末１１０の接地電位に接続されている。バイパスコンデンサＣ１は、グラウンドに対する交流的なインピーダンスを下げる役割を有し、ＩＣチップ７０が動作する際に直流電源電圧が変動するのを避けるために接続されている。
【００２４】
図７に示すように、コントローラ４００は、制御ブロックとして機能するＣＰＵ４０１、送信回路４０２、受信回路４０３、同調回路４０４、安定化電源４０５、シリアルポート４０６等により構成されている。
【００２５】
ＣＰＵ４０１は、コントローラ４００の全体動作を制御する。送信回路４０２は、ＣＰＵ４０１に制御されて、コマンド信号を第１の応答端末１１０、第２の応答端末１２０に送信する。受信回路４０３は、第１の応答端末１１０、第２の応答端末１２０からの応答信号を受信してＣＰＵ４０１に供給する。同調回路４０４は、送信回路４０２から出力されたコマンド信号のキャリア信号に同調した周波数に同調する。安定化電源４０５は、コントローラ４００の各部へ動作電力を供給する。シリアルポート４０６は、パソコン１２からの制御信号を内部のＣＰＵ４０１へ入力するためのものであり、本実施形態においては、RS-232 (Recommended Standard 232) を用いている。
【００２６】
同調回路４０４から出力されたコマンド信号は、低周波遮断回路６００を介して電力搬送ライン３００ａ、３００ｂに出力される。低周波遮断回路６００は、コンデンサにより構成されており、電力搬送ライン３００ａ、３００ｂからの直流を遮断するとともに、同調回路４０４から出力されるコマンド信号を電力搬送ライン３００ａ、３００ｂに通過させる機能を有する。
【００２７】
トラップ回路５００は、コントローラ４００からのキャリア周波数125/117kHzを遮断するとともに、第１の応答端末１１０及び第２の応答端末１２０からの応答信号の周波数に対するインピーダンスを略ゼロにして、前述の応答信号を取り出して受信回路４０３に出力するために設けられている。
【００２８】
前述のような構成により、本実施形態の電力線搬送通信システムによれば、第１の応答端末１１０のＩＣチップ７０は、同調回路６０を通してコントローラ４００からのキャリア周波数125/117kHz（FSK方式）を受け取り、コマンドを認識する。その際、コントローラ４００からのキャリア周波数の正弦波を整流することでＩＣチップ７０内部の動作電源を生成する。コマンドを認識した第１の応答端末１１０は、コントローラ４００に対して、キャリア周波数62.5kHz（ASK方式）で返事を返す。
【００２９】
本実施形態の電力線搬送通信システムにおいて、第１の応答端末１１０（第２の応答端末１２０も同様）は以下のような規格でコントローラ４００と通信を行う。
（１)受信周波数：125kHz/117.65kHz：FSK方式
（２）送信周波数：62.5kHz：ASK方式
（３）通信速度：約4kbps（受信）、2Kbps（送信）
【００３０】
次に、図４を参照しながら、第１の応答端末１１０が受信時の伝送フォーマット例を説明する。
（１）通信モード（FSK方式）
応答端末１１０の受信時（コントローラ４００→応答端末１１０）
コントローラ４００→応答端末１１０の通信は、FSK変調で行われる。FSK周波数は125KHzと117.65KKHzの２周波数を使用する。無変調時は、125kHzである。
（２）データ符号化の例
データ符号化は、125KHzないし117.65KHzの32波で１ヒ゛ット(1ETU)であり、１ビット(1ETU)前に対し、周波数が変化した場合（i.e.  125KHz→117.65kHz及び  117.65KHz→125KHz）はデータ‘１’である。また、１ビット(1ETU)前に対し、周波数が変化しない場合（i.e.  125KHz→125kHz及び  117.65KHz→117.65KHz）はデータ‘０’である。
【００３１】
（３）応答端末１１０、１２０からの返信時（応答端末１１０→コントローラ４００）
応答端末１１０からコントローラ４００へのデータ返信時の変調方式は、サブキャリア62.5KHzのASK変調を使用する。
（４）データ符号化例（ASK変調）
サブキャリア：62.5kHz
１ETUはサブキャリアを３２波：512us
データを２ビット単位(‘００’、‘０１’、‘１０’、‘１１’の４通り)で応答端末１１０から送信する。２ビットのデータ返信時の後は、１ETU（５１２us）の間、サブキャリアOFFの期間を毎２ビットごと設ける。
【００３２】
次に、図５を参照しながら、応答データの変調方式について説明する。
まず、変調方式は、ＡＳＫ変調であり、変調度は１００％である。また、データ転送レートは２ｋｂｐｓ、キャリア周波数は６２．５ＫＨｚ（コントローラ４００から供給される１２５ＫＨｚ連続キャリアの半分の周波数）、符号化方式はＮＲＺ（１でキャリア有り、０でキャリアなし）である。そして、データ０＝キャリアなし（512us）、データ１＝キャリア３２波（512us）である。また、パワーリングはコントローラ４００より１２５ＫＨｚの連続キャリアを供給、同期方式は同期サンプリング＜非同期シリアルのスタートビット同期＞である。なお、図５において、「RDATAは受信データ信号」、「RCRRは受信キャリア」である。
【００３３】
次に、図８を参照しながら電力線搬送通信システムの具体例を説明する。
本実施形態においては、ラインフィルター２００〜２０５を設けて電力線通信制御領域１００を構成し、５つの照明機器１０１〜１０５を制御するようにしている。
このように、５つの照明機器１０１〜１０５を制御するために、ラインフィルター２００〜２０５により構成される電力線通信制御領域１００内には、５つの応答端末１１０〜１５０が設けられている。このような例は、例えば、オフィス等の照明機器の電力線ライン３００に、ラインフィルター２００〜２０５を配設して電力線通信制御領域１００を構成し、５つの照明機器１０１〜１０５のオン／オフを個々に制御することが考えられる。
【００３４】
これらの応答端末１１０〜１５０とコントローラ４００との間でデータ通信を行い、５つの照明機器１０１〜１０５の各々を個々にオン／オフ制御する際の制御手順の一例を、図９のフローチャートを参照しながら説明する。
処理が開始されると、最初のＳ９１において、パソコン１２とコントローラ４００との間の通信を確立する。また、コントローラ４００から電力搬送ライン３００ａ、３００ｂにキャリア送信（125kHz無変調）が行われる。コントローラ４００より送信されたキャリア信号（125kHz無変調）を受信した応答端末１１０〜１５０は、高周波回路７４内の整流回路で内部電源を生成する。これにより、本実施形態の応答端末１１０〜１５０は、電池不要であり、かつ外部から電源供給無しで動作可能な状態に移行する。
【００３５】
次に、Ｓ９２において、パソコン１２からコントローラ４００に、電力線通信制御領域１００内に存在する全ての応答端末１１０〜１５０のＵＩＤを取得するよう命令する。
ＵＩＤ取得命令を受けたコントローラ４００は、Ｓ９３において、前述した送信回路４０２から電力搬送ライン３００ａ、３００ｂを介してＵＩＤ取得コマンドを送信する（FSK変調でキャリア送信）。
【００３６】
ＵＩＤ取得コマンドを受信した応答端末１１０〜１５０は、自分のＵＩＤをコントローラ４００に返信する（Ｓ９４）。応答端末１１０〜１５０から返信されたＵＩＤを受信したコントローラ４００は、受信（取得）したＵＩＤをパソコン１２に送信する（Ｓ９５）。
【００３７】
パソコン１２は、電力線通信制御領域１００内に存在する応答端末１１０〜１５０のＵＩＤをコントローラ４００から取得する。図８の例では「００１」、「００２」、「００３」、「００４」、「００５」を取得する。これらのＵＩＤを取得したパソコン１２は、ＵＩＤを指定してＩＯ端子を制御する命令をコントローラ４００に送信する（Ｓ９６）。例えば、「ＵＩＤ＝００１」を指定して、スイッチの状態を切り替えるコマンドを送信する。
【００３８】
パソコン１２からの命令を受けたコントローラ４００は、「ＵＩＤ＝００１」を指定して、ＩＯ端子７５を制御するコマンドを電力搬送ライン３００ａ、３００ｂを介して応答端末１１０〜１５０に送信する。
【００３９】
コントローラ４００から送信されたコマンドは、電力搬送ライン３００ａ、３００ｂを介して応答端末１１０〜１５０にそれぞれ受信される。この場合、ＵＩＤが一致していない応答端末は、ＩＯ制御のコマンドを受け付けることは無く、ＵＩＤが一致している第１の応答端末１１０のみがコマンドを受け付ける（Ｓ９７）。
【００４０】
コントローラ４００からのコマンドを受け付けた第１の応答端末１１０は、コマンドの内容に応じた処理を実行する。この場合、ＩＯ端子７５を制御することで第１のスイッチ１１２を切り替え、第１の電力使用機器１０１（第１の照明機器）に供給する電源を切断したり、供給したりする（Ｓ９８）。
【００４１】
また、ＵＩＤが一致した第１の応答端末１１０は、応答信号としてＡＳＫ変調でキャリア信号（62.5kHz）をコントローラ４００に送信する（Ｓ９９）。
第１の応答端末１１０から送信された応答信号は、電力搬送ライン３００ａ、３００ｂを介してコントローラ４００に伝送される。本実施形態においては、低周波遮断回路６００、トラップ回路５００を通してコントローラ４００の受信回路４０３に入力される。
【００４２】
第１の応答端末１１０から送信された応答信号を受信したコントローラ４００は、通信回線１１を介してパソコン１２に送信する（Ｓ９１０）。
パソコン１２は、コントローラ４００から送信された、第１の応答端末１１０からの応答信号を受信する（Ｓ９１１）。これにより、ＵＩＤを指定した電源制御処理が無事に終了したことを確認する。
【００４３】
前述したように、本実施形態においては、電力線通信制御領域１００を設定し、電力供給源ＡＣから電力線通信制御領域１００に電力を供給する電力搬送ライン３００に重畳しているノイズを除去する入力ラインフィルター２００を設けた。また、電力線通信制御領域１００から照明機器１０１〜１０５に電力を供給する電力供給線にラインフィルター２０１〜２０５を配設した。
【００４４】
そして、電力線通信制御領域１００内に、コントローラ４００と複数の応答端末１１０〜１５０を設け、コントローラ４００と応答端末１１０〜１５０との間のデータ通信を、ノイズが除去されている電力搬送ライン３００ａ、３００ｂを介して行うようにした。これにより、電力搬送ライン３００に重畳するノイズの悪影響を受けることなく電力線通信を行うことが可能となる。
【００４５】
特に、本実施形態においては、照明機器１０１〜１０５に電力を供給する電源ラインにもラインフィルター２０１〜２０５を配設したので、照明機器１０１〜１０５に供給する電力をオン／オフする際に発生するスイッチングノイズが電力線通信制御領域１００内に侵入するのを確実に防止することができる。
【００４６】
本実施形態においては、既に実用化されている、無線のデータキャリアシステムを構成するリーダ／ライタ装置でコントローラ４００を構成し、無線タグ（ＲＦＩＤ）で応答機を構成したので、電力線搬送通信システムを安価に構成することができる。しかも、本実施形態においては、リーダ／ライタ装置とＲＦＩＤとの間のデータ通信を電力搬送ライン３００ａ、３００ｂを介して有線で行うようにした。これにより、通信距離の問題を無くすことができるとともに、金属の影響（周辺環境）を考慮しなくて済むようになる。さらに、有線で通信を行う際に、電力搬送ライン３００ａ、３００ｂを介して行うようにしたので、有線通信を行うための配線を行うことが不要となり、電力線搬送通信システムの構築を簡素化することができる。
【００４７】
なお、前述した図８の例では５つの応答端末１１０〜１５０の電力制御を行う例を説明したが、数十個の電力使用機器の電力制御を行うことが可能である。電力使用機器の電力制御を行う場合、予めパソコン１２にプログラミングしておくことにより、設定した時間に設定した電力使用機器について電力制御を行うことができる。また、ユーザがパソコン１２を操作して直接行うことも可能である。
【符号の説明】
【００４８】
１０  電力線搬送通信システム、１１  通信回線、１２  パソコン、１００  電力線通信制御領域、１０１  第１の電力使用機器、１０２  第２の電力使用機器、１０３  第３の電力使用機器、１１１  応答機、１１２  第１のスイッチ、１２０  第２の応答端末、１２１  応答機、１２２  第２のスイッチ、２００  入力ラインフィルター、２０１  第１のラインフィルター、２０２  第２のラインフィルター、２０３  第３のラインフィルター、３００  電力搬送ライン、３００ａ、３００ｂ  電力搬送ライン
【図１】
0005607411.tif 000002
【図２】
0005607411.tif 000003
【図３】
0005607411.tif 000004
【図４】
0005607411.tif 000005
【図５】
0005607411.tif 000006
【図６】
0005607411.tif 000007
【図７】
0005607411.tif 000008
【図８】
0005607411.tif 000009
【図９】
0005607411.tif 000010